(57)【要約】  交流変換部と、前記交流変換部を制御する制御部とを有する電力変換装置であって、前記電力変換装置の温度データを出力する温度検出部と、前記交流変換部の出力の電流データを出力する電流検出部と、定格電流と温度仕様の関係を表す仕様データおよび前記検出部が出力する温度データを記憶する記憶部と、定格電流と前記電流検出部の出力する電流データに基づいて、遮断指令を前記制御部へ出力する過負荷保護部と、前記記憶部から仕様データと温度データを取得し、取得した仕様データに基づいて、取得した温度データに対応する定格電流を決定し、決定した定格電流を前記過負荷保護部へ出力する定格判定部と、を有する。
2019049246.tif 000002
【特許請求の範囲】
【請求項１】
交流変換部と、前記交流変換部を制御する制御部とを有する電力変換装置であって、
前記電力変換装置の温度データを出力する温度検出部と、
前記交流変換部の出力の電流データを出力する電流検出部と、
定格電流と温度仕様の関係を表す仕様データおよび前記温度検出部が出力する温度データを記憶する記憶部と、
定格電流と前記電流検出部の出力する電流データに基づいて、遮断指令を前記制御部へ出力する過負荷保護部と、
前記記憶部から仕様データと温度データを取得し、取得した仕様データに基づいて、取得した温度データに対応する定格電流を決定し、決定した定格電流を前記過負荷保護部へ出力する定格判定部と、を有すること
を特徴とする電力変換装置。
【請求項２】
請求項１に記載の電力変換装置であって、
定格電流と温度仕様の関係を表す仕様データを前記記憶部に予め出力する入力部をさらに有すること
を特徴とする電力変換装置。
【請求項３】
請求項２に記載の電力変換装置であって、
前記入力部は、
定格電流と温度仕様の関係を表す仕様データを、計算式として前記記憶部に出力すること
を特徴とする電力変換装置。
【請求項４】
請求項２に記載の電力変換装置であって、
前記定格判定部は、
温度データの取得、定格電流の決定、および定格電流の出力として、
前記記憶部に蓄積された温度データを、蓄積温度データとして、前記記憶部から取得し、
取得した蓄積温度データの時間的に一定区間の最大温度が、予め設定された温度より低いと判定すると、低いと判定された最大温度に対応する定格電流を、取得した仕様データに基づいて決定し、
決定した定格電流を前記過負荷保護部へ出力すること
を特徴とする電力変換装置。
【請求項５】
請求項４に記載の電力変換装置であって、
前記定格判定部は、
さらに、
低いと判定された最大温度より、取得した蓄積温度データの最大温度が高いと判定すると、高いと判定された最大温度に対応する定格電流を、取得した仕様データに基づいて決定し、
決定した定格電流を前記過負荷保護部へ出力すること
を特徴とする電力変換装置。
【請求項６】
請求項５に記載の電力変換装置であって、
前記入力部は、
定格電流比と耐久時間の関係を表す過負荷データを前記記憶部に予めさらに出力し、
前記記憶部は、
過負荷データをさらに記憶し、
前記過負荷保護部は、
前記制御部への出力として、
前記記憶部から過負荷データを取得し、
前記定格判定部の出力する定格電流と、前記電流検出部の出力する電流データから定格電流比を算出し、
算出した定格電流比に対応する耐久時間を、取得した過負荷データに基づいて決定し、
決定した耐久時間経過後に、前記制御部へ遮断指令を出力すること
を特徴とする電力変換装置。
【請求項７】
請求項２に記載の電力変換装置であって、
前記定格判定部は、
温度データの取得、定格電流の決定、および定格電流の出力として、
前記記憶部に蓄積された温度データを、蓄積温度データとして、前記記憶部から取得し、
取得した仕様データに基づいて、予め設定された電流に対応する温度を予め設定し、
取得した蓄積温度データの最大温度が、予め設定された温度より高いと判定すると、高いと判定された最大温度に対応する定格電流を、取得した仕様データに基づいて決定し、
決定した定格電流と温度低減動作の設定を前記過負荷保護部へ出力すること
を特徴とする電力変換装置。
【請求項８】
請求項７に記載の電力変換装置であって、
前記過負荷保護部は、
前記定格判定部から温度低減動作の設定を入力すると、前記制御部へキャリア周波数を下げる指令を出力すること
を特徴とする電力変換装置。
【請求項９】
請求項８に記載の電力変換装置であって、
前記定格判定部は、
さらに、
高いと判定された最大温度より、取得した蓄積温度データの時間的に一定区間の最大温度が低いと判定すると、低いと判定された最大温度に対応する定格電流を、取得した仕様データに基づいて決定し、
決定した定格電流と温度低減動作の解除を前記過負荷保護部へ出力すること
を特徴とする電力変換装置。
【請求項１０】
請求項９に記載の電力変換装置であって、
前記入力部は、
定格電流比と耐久時間の関係を表す過負荷データを前記記憶部に予めさらに出力し、
前記記憶部は、
過負荷データをさらに記憶し、
前記過負荷保護部は、
前記制御部への出力として、
前記記憶部から過負荷データを取得し、
前記定格判定部の出力する定格電流と、前記電流検出部の出力する電流データから定格電流比を算出し、
算出した定格電流比に対応する耐久時間を、取得した過負荷データに基づいて決定し、
決定した耐久時間経過後に、前記制御部へ遮断指令を出力すること
を特徴とする電力変換装置。
【発明の詳細な説明】
【技術分野】
【０００１】
本発明は、電力変換装置に関する。
【背景技術】
【０００２】
本技術分野の背景技術として、特許文献１がある。この特許文献１には、「制御回路２５に設定、表示回路２４から交流電動機３の一次電流の定格値と、この定格値に所定の値を乗じた電流値と、この電流値での運転継続可能時間とが設定され、これらの設定値から導出される反限時特性に基づき、インバータ２は電流演算器２３の出力である交流電動機３の一次電流の実効値を監視しつつ運転する」と記載されている（要約参照）。
【先行技術文献】
【特許文献】
【０００３】
【特許文献１】特開平１１−３０８７６１号公報
【発明の概要】
【発明が解決しようとする課題】
【０００４】
特許文献１に記載された技術を用いれば、交流電動機の過負荷を保護することは可能になる。しかしながら、特許文献１に記載された技術は、必然的にインバータの定格電流よりも低い定格電流の交流電動機を接続する必要がある。これに対して、接続される交流電動機は必ずしもインバータと同一あるいはそれ以下の定格電流を持つものであるとは限らない。【０００５】
例えば、高効率化されたＩＥ３に対応した交流電動機は、従来のＩＥ１に対応した交流電動機よりも定格電流が高い傾向にある。このため、高効率化のための交流電動機の入れ替えで、過負荷の保護がかかり、停止する可能性もある、という課題がある。【０００６】
そこで、本発明は、電力変換装置（インバータ）に接続できる交流電動機の範囲を広げることを、目的とする。
【課題を解決するための手段】
【０００７】
上記課題を解決するために、例えば特許請求の範囲に記載の構成を採用する。【０００８】
本発明は、上記課題を解決する手段を複数含んでいるが、その一例を挙げるならば、交流変換部と、前記交流変換部を制御する制御部とを有する電力変換装置であって、前記電力変換装置の温度データを出力する温度検出部と、前記交流変換部の出力の電流データを出力する電流検出部と、定格電流と温度仕様の関係を表す仕様データおよび前記検出部が出力する温度データを記憶する記憶部と、定格電流と前記電流検出部の出力する電流データに基づいて、遮断指令を前記制御部へ出力する過負荷保護部と、前記記憶部から仕様データと温度データを取得し、取得した仕様データに基づいて、取得した温度データに対応する定格電流を決定し、決定した定格電流を前記過負荷保護部へ出力する定格判定部と、を有することを特徴とする。
【発明の効果】
【０００９】
本発明によれば、電力変換装置に接続できる交流電動機の範囲を広げることができる。また、上記した以外の課題、構成および効果は、以下の実施形態の説明により明らかにされる。
【図面の簡単な説明】
【００１０】
【図１】電力変換装置の構成の例を示す図である。
【図２Ａ】定格電流と温度仕様の関係を規定するデータの例を示す図である。
【図２Ｂ】定格電流比と耐久時間の関係を規定するデータの例を示す図である。
【図３】実施例１における定格判定部のフローの例を示す図である。
【図４】実施例２における定格判定部のフローの例を示す図である。
【発明を実施するための形態】
【００１１】
以下、図面を用いて本発明の好ましい実施例を説明する。
【実施例１】
【００１２】
本実施例では、ユーザが温度仕様を決定した場合、電力変換装置（インバータ）が定格電流を変更し、電流における駆動動作範囲を拡充させるための動作例を説明する。【００１３】
図１は、電力変換装置１０の構成の例を示す図である。図１の例で、電力変換装置１０は、三相交流電源１０１と交流電動機１０５に接続され、直流変換部１０２、平滑コンデンサ１０３、交流変換部１０４、電流検出器１０６、制御部１１１、電流検出部１１２、過負荷保護部１１３、外部通信部１１４、温度検出部１１５、情報蓄積部１１６、定格判定部１１７、記憶部１１８、および表示・操作部１１９を有する。【００１４】
三相交流電源１０１は、例えば電力会社から供給される三相交流電圧や発電機から供給される交流電圧であり、これらの交流電圧を直流変換部１０２に出力する。【００１５】
直流変換部１０２は、例えばダイオードで構成された直流変換回路やＩＧＢＴ（Insulated Gate Bipolar Transistor）とフライホイールダイオードを用いた直流変換回路で構成され、三相交流電源１０１から入力された交流電圧を、直流電圧に変換し、平滑コンデンサ１０３に出力する。図１では、例としてダイオードで構成された直流変換部１０２を示している。【００１６】
平滑コンデンサ１０３は、直流変換部１０２から入力された直流電圧を平滑化し、交流変換部１０４に直流電圧を出力する。例えば三相交流電源１０１の代わりに発電機が接続され、発電機の出力が直流電圧の場合、平滑コンデンサ１０３は、直流変換部１０２を介さず、直接に発電機から直流電圧が入力されても構わない。【００１７】
交流変換部１０４は、例えばＩＧＢＴとフライホイールダイオードを用いた交流変換回路で構成され、平滑コンデンサ１０３の直流電圧と、制御部１１１の出力指令を入力とし、直流電圧を交流電圧に変換し、交流電動機１０５に出力する。【００１８】
また、交流変換部１０４は、直流変換部１０２と平滑コンデンサ１０３を介さず、交流−交流変換を行うような交流変換回路で構成されている場合には、交流電圧を交流電圧に変換し、交流電動機１０５に出力しても良い。【００１９】
電流検出器１０６は、例えばホールＣＴ（Current Transformer）やシャント抵抗で構成され、電力変換装置１０の出力部分に配置されることにより交流電動機１０５に流れる電流を検出し、電流検出部１１２に電流検出値として出力する。【００２０】
電流検出器１０６は、交流変換部１０４に流れる出力電流を推定、または直接検出できる箇所に配置されているならば、例えば、素子の前後あるいは直流部の上１０７や下１０８のような場所に配置されていても良い。図１では、交流電動機１０５に流れる電流を検出する例が示されている。【００２１】
制御部１１１は、交流電動機１０５を駆動するために与えられた指令から演算された出力指令に従い、交流変換部１０４にＰＷＭ（Pulse Width Modulation）出力指令を与える。【００２２】
電流検出部１１２は、例えば、電流検出器１０６から入力した電流検出値を、例えば定格電流が取りえる最大値を１００％とした内部データ（電流データ）に変換し、過負荷保護部１１３および情報蓄積部１１６に出力する。また、電流検出部１１２は、内部データを記憶部１１８へ出力し、蓄積しても良い。【００２３】
過負荷保護部１１３は、電流検出部１１２で変換された電流データと、温度検出部１１５で検出された温度データとを入力とし、また、記憶部１１８に記憶された過負荷耐量と、定格判定部１１７から入力された定格電流に対応する電流量と該電流量を流すことが可能な時間を算出し、算出した時間を超えて電流量が超過した場合には、過負荷耐量を超えたと判定し、制御部１１１に遮断指令を出力する。【００２４】
外部通信部１１４は、例えば、有線通信あるいは無線通信により、ＬＡＮ（Local Area Network）やＷＡＮ（Wide Area Network）に接続され、外部機器で検出された電力変換装置１０の設置された室内温度の情報をＬＡＮ経由で取得しても良いし、天気予報等の外部情報をＷＡＮ経由で取得しても良く、取得した温度の情報を温度検出部１１５に出力する。【００２５】
温度検出部１１５は、外部通信部１１４から入力された温度情報を、例えば０．１℃単位の温度データに変換し、過負荷保護部１１３および情報蓄積部１１６に出力する。また、温度検出部１１５は、温度データを記憶部１１８へ出力し、蓄積しても良い。【００２６】
情報蓄積部１１６は、電流検出部１１２および温度検出部１１５から入力された周囲温度データあるいは出力電流データを記憶部に蓄積する。これらのデータと時間との関係を後で対応付けられるように、データと共に時刻の情報を蓄積しても良い。【００２７】
また、情報蓄積部１１６は、電流検出部１１２、温度検出部１１５および記憶部１１８から入力された周囲温度データあるいは出力電流データが、記憶部１１８から入力した温度仕様あるいは定格電流を、所定の期間、下回ったと判定すると、定格電流あるいは温度仕様を変更し、記憶部１１８に出力しても良い。【００２８】
定格判定部１１７は、予め定められた温度仕様範囲内において、記憶部１１８に記憶された電流と温度の関係に従い、温度設定値から電力変換装置１０の定格電流仕様あるいは定格電流設定値から電力変換装置１０の温度仕様を判定し、過負荷保護部１１３へ過負荷保護レベル（定格電流）を出力する。【００２９】
記憶部１１８は、一時的にデータが記憶される素子、例えばＲＡＭ（Random Access Memory）等や、電源遮断でも記憶を保持するＥＥＰＲＯＭ（Electrically Erasable Programmable Read Only Memory）やデータフラッシュＲＯＭで構成され、過負荷保護部１１３と定格判定部１１７の動作手順を記憶しておいても良い。【００３０】
記憶部１１８は、電力変換装置１０に固有の温度仕様と定格電流仕様の関係および定格電流に応じた電流量を流すことが可能な時間との関係を示す電力変換装置１０に固有の過負荷耐量、および複数の温度夫々に対応する過負荷耐量の設定値あるいは計算式を予め記憶しておき、表示・操作部１１９から入力した、温度仕様設定値あるいは定格電流設定値を記憶しておく。【００３１】
また、記憶部１１８は、電流検出部１１２、温度検出部１１５、あるいは情報蓄積部１１６から電流データあるいは温度データを入力し、それらのデータの時刻と共に記憶しても良い。【００３２】
表示・操作部１１９は、例えば、操作パネルや入出力端子、スマートフォン、スマートウォッチ、タブレット端末、あるいはパーソナルコンピュータ等のユーザインターフェースであり、例えばユーザが操作した情報、あるいは外部機器から得られたデータを記憶部１１８に出力する。表示・操作部１１９は、外部機器等からデータを得るため、外部機器等からのデータの入力部となっても良い。【００３３】
特に、表示・操作部１１９は、ユーザが設定した定格電流仕様または温度仕様のデータを、記憶部１１８に出力する。また、表示・操作部１１９は、記憶部１１８に格納された定格電流仕様または温度仕様を入力とし、ユーザに対して、現在設定された値を表示する。なお、表示・操作部１１９は電力変換装置１０の外にあっても良く、他の端末等と接続するための通信部であっても良い。【００３４】
図２Ａは、記憶部１１８に記憶された電力変換装置１０に固有の定格電流と温度仕様の関係を規定するデータの例を示す図である。ここで、電力変換装置１０に固有とは、電力変換装置１０の機種に固有であっても良いし、電力変換装置１０の製造ロット等に固有であっても良い。【００３５】
温度仕様は、例えば、直流変換部１０２を構成するダイオード、平滑コンデンサ１０３、交流変換部１０４を構成するＩＧＢＴ、電流検出器１０６、あるいは電力変換装置１０を構成する図示を省略したＭＣＵ、サイリスタ、コンデンサ、あるいは論理素子等の温度仕様が規定されている素子（あるいは部品）の仕様範囲である。【００３６】
この温度の仕様範囲および電力変換装置１０の温度上昇試験等の結果から、各温度と、電力変換装置１０として連続的に出力できる電流値である定格電流の関係が、曲線２０１として示されている。曲線２０１より電流あるいは温度が高い範囲は、保護の対象となる状態であることを表している。【００３７】
また、各温度と定格電流の関係性は、例えば、特に発熱量の多いモジュール（あるいは素子）、電源回路やモジュール部の発熱曲線に従って、温度仕様範囲、キャリア出力制御範囲を連続的に増減させる曲線としても良い。電力変換装置１０を構成する素子の中で定格電流と温度仕様の最も低い素子を基準に設定されても良い。【００３８】
図２Ｂは、記憶部１１８に記憶された電力変換装置１０に固有の定格電流比と耐久時間との関係を規定するデータの例を示す図である。【００３９】
図２Ａで対象となった部品の温度仕様範囲、および電力変換装置の温度上昇試験等の結果から、電流が定格電流を超過した場合に保護をかける定格電流比と耐久時間の関係が曲線２０２として示されている。【００４０】
図２Ａに示した定格電流の曲線２０１より電流が高くなる程、すなわち定格電流比が高い程、耐久時間が短くなることを、曲線２０２は示している。定格電流比の１００％は、曲線２０１であり、保護を必要としない耐久時間は無限である。【００４１】
過負荷保護部１１３は、定格判定部１１７が図２Ａに示した曲線２０１のデータを基に設定した定格電流を基準とし、図２Ｂに示した曲線２０２の定格電流比のデータに従って、電流検出器１０６に流れた電流が定格電流を超えて保護をかけるべき電流であった場合、定格電流比に応じた耐久時間経過後、制御部１１１に対してＰＷＭ出力の遮断指令を出力する。【００４２】
従来の電力変換装置では、交流電動機の定格電流が電力変換装置の定格電流よりも低い場合、すなわち電力変換装置の定格電流に余裕がある場合において、交流電動機の定格電流に合わせて過負荷保護を行っていた。【００４３】
これに対して本実施例では、交流電動機の定格電流が電力変換装置の定格電流より高い場合でも、従来は余裕を見すぎて保護をかけていた部分に対し、温度条件を判定することにより、電力変換装置の定格電流を超えて、交流電動機の可動範囲を広くできるものである。【００４４】
図３は、定格判定部１１７が、温度仕様から定格電流を決定するフローの例を示す図である。まず、定格判定部１１７は、記憶部１１８から温度仕様情報を読み出す（ステップＳ３０１）。定格判定部１１７は、例えば、温度仕様情報として、ユーザが表示・操作部１１９を通して記憶部１１８に予め設定した仕様値を取得するか、ユーザが設定していなければ、生産時に予め決められた代表値を取得するかを選択的に行っても良い。【００４５】
定格判定部１１７は、図２Ａに示した曲線２０１のデータに従い、例えば予め設定された温度仕様値が「６０℃」であった場合、定格電流として「３２．０Ａ」以上と設定し過負荷保護部１１３に出力する（ステップＳ３０２）。【００４６】
定格判定部１１７は、記憶部１１８から温度仕様蓄積値情報を取得し（ステップＳ３０３）、取得した温度仕様蓄積値情報が、例えば一定区間として予め６０秒と設定されおり、その一定区間の最大動作温度が、既に設定された「６０℃」より低いかを判定する（ステップＳ３０４）。【００４７】
定格判定部１１７は、一定区間の最大動作温度が低いと判定した場合、その最大動作温度が例えば４０℃であれば、曲線２０１において「４０℃」に対応する「５７．５Ａ」に、連続動作できる定格電流を変更し、保護の開始電流を上昇させる（ステップＳ３０５）。【００４８】
また、定格判定部１１７は、過負荷保護部１１３が例えば４０℃に対応する定格電流５７．５Ａで動作しており、ステップＳ３０３で取得した温度仕様蓄積値情報の最大動作温度が４０℃より高いかを判定する（ステップＳ３０６）。【００４９】
定格判定部１１７は、最大動作温度の高い状態と判定した場合、その最大動作温度が例えば６０℃まで上昇していれば、曲線２０１において「６０℃」に対応する「３２．０Ａ」まで、連続動作できる定格電流を下げる（ステップＳ３０７）。【００５０】
定格電流の変更は、区切りの良い値に限定されず、図２Ａに示した曲線２０１に従っていれば連続的に変化しても良い。定格判定部１１７は、表示すべき情報として、変更した定格電流のデータを記憶部１１８に出力する（Ｓ３０８）。【００５１】
以上で説明したように、交流電動機１０５の電流が大きくなっても、最大動作温度が低い場合は電力変換装置１０の定格電流の設定を上昇させているので、駆動領域を確保することができる。また、電力変換装置１０の定格電流の設定を上昇させることができるので、さまざまな定格電流の交流電動機に接続することが可能になる。
【実施例２】
【００５２】
本実施例では、実施例１の変形例であって、ユーザが定格電流の仕様を決定した場合、定格電流の変更に加えて、温度低減動作を設定したり解除したりして、駆動動作範囲を拡充させる例を説明する。図３を用いて説明した定格判定部１１７のフロー以外は、実施例１と同じであるので、図３に相当する図４以外の説明は省略する。【００５３】
図４は、定格判定部１１７が、温度仕様から定格電流を決定するフローの例を示す図である。まず、定格判定部１１７は、記憶部１１８から定格電流情報を読み出す（ステップＳ４０１）。定格判定部１１７は、例えば、定格電流情報として、ユーザが表示・操作部１１９を通して記憶部１１８に予め設定した仕様値を取得するか、ユーザが設定していなければ、生産時に予め決められた代表値を取得するかを選択的に行っても良い。【００５４】
定格判定部１１７は、例えば予め設定された定格電流値が３２．０Ａであった場合、定格電流として３２．０Ａ以下と設定し過負荷保護部１１３に出力し（ステップＳ４０２）、図２Ａに示した曲線２０１のデータに従い、「３２．０Ａ」に対応する「６０℃」を得る。【００５５】
定格判定部１１７は、記憶部１１８から温度仕様蓄積値情報を取得し（ステップＳ４０３）、取得した温度仕様蓄積値情報の最大動作温度が「６０℃」より高いかを判定する（ステップＳ４０４）。【００５６】
定格判定部１１７は、最大動作温度が高いと判定した場合、例えば、最大動作温度が８０℃まで上昇していれば、曲線２０１において「８０℃」に対応する「１５．０Ａ」に、連続動作できる定格電流を変更し、保護の開始電流を下降させ、温度低減動作を設定する（ステップＳ４０５）。【００５７】
ここで、温度低減動作の設定としては、例えば、過負荷保護部１１３を介して制御部１１１に対し、ＩＧＢＴのスイッチング周波数であるキャリア周波数を下げる指令を与えることや、表示・操作部１１９に対しての電源を落とす指令を与えること等である。【００５８】
また、定格判定部１１７は、過負荷保護部１１３が例えば８０℃に対応する定格電流１５．０Ａで動作しており、ステップＳ４０３で取得した温度仕様蓄積値情報で一定区間の最大動作温度が６０℃まで低くなったかを判定する（ステップＳ４０６）。【００５９】
定格判定部１１７は、一定区間の最大動作温度が６０℃までしか上昇しなかったと判定した場合、曲線２０１において「６０℃」に対応する「３２．０Ａ」まで、連続動作できる定格電流を上げ、温度低減動作を解除する（ステップＳ４０７）。【００６０】
定格電流の変更は、区切りの良い値に限定せず、図２Ａに示した曲線２０１に従っていれば連続的に変化しても良い。定格判定部１１７は、表示すべき情報として記憶部１１８に確定した定格電流のデータを出力する（ステップＳ４０８）。【００６１】
以上で説明したように、最大動作温度が低い場合に電力変換装置１０の定格電流の設定を上げておき、駆動領域を確保しても、最大動作温度が上昇すれば、定格電流の設定を下げるとともに温度低減動作を実行するので保護までは至らず、駆動領域を確保することができる。また、電力変換装置１０の定格電流の設定を上げることができるので、さまざまな定格電流の交流電動機に接続することが可能になる。【００６２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。【００６３】
また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【００６４】
また、上記の各構成、機能、処理部、処理手段等は、それらの一部または全部を、例えば集積回路で設計する等によりハードウェアで実現しても良い。また、上記の各構成、機能等は、プロセッサがそれぞれの機能を実現するプログラムを解釈し、実行することによりソフトウェアで実現しても良い。【００６５】
各機能を実現するプログラム、テーブル、ファイル等の情報は、メモリや、ハードディスク、ＳＳＤ（Solid State Drive）等の記録装置、または、ＳＤ（Secure Digital）カード、ＤＶＤ（Digital Versatile Disc）等の記録媒体に置くことができる。【００６６】
また、制御線や情報線は説明上必要と考えられるものを示しており、製品上必ずしも全ての制御線や情報線を示しているとは限らない。実際には殆ど全ての構成が相互に接続されていると考えても良い。
【産業上の利用可能性】
【００６７】
交流電圧を出力する電力変換装置に適用でき、特に交流電動機を駆動する電力変換装置に適用できる。
【符号の説明】
【００６８】
１０１・・・三相交流電源、１０２・・・直流変換部、１０３・・・平滑コンデンサ、１０４・・・交流変換部、１０５・・・交流電動機、１０６・・・電流検出器、１１１・・・制御部、１１２・・・電流検出部、１１３・・・過負荷保護部、１１４・・・外部通信部、１１５・・・温度検出部、１１６・・・情報蓄積部、１１７・・・定格判定部、１１８・・・記憶部、１１９・・・表示・操作部
【図１】
2019049246.tif 000003
【図２Ａ】
2019049246.tif 000004
【図２Ｂ】
2019049246.tif 000005
【図３】
2019049246.tif 000006
【図４】
2019049246.tif 000007
【国際調査報告】
2019049246.tif 000008
2019049246.tif 000009
2019049246.tif 000010